(57)【要約】【課題】スイッチング電源によるノイズの影響を受けずに放送を視聴可能とする。【解決手段】バッテリ部１８は、放送受信装置１の各部に電力を供給する。電源切換部１７は、バッテリ部１８からの電力供給と外部から供給される外部電源からの電力供給とを切り換える。チューナ部１１は放送を受信する。制御部１０は、外部電源から電力が供給され、且つチューナ部１１が放送を受信しているときは、電源切換部１７によりバッテリ部１８からの電力供給とする制御を行う。【選択図】図１
2011176548.tif 000002
【特許請求の範囲】
【請求項１】
装置の各部に電力を供給するバッテリ部、
前記バッテリ部からの電力供給と外部から供給される外部電源からの電力供給とを切り換える電源切換部、
放送を受信する受信部、
前記外部電源から電力が供給され、且つ前記受信部が放送を受信しているときは、前記電源切換部により前記バッテリ部からの電力供給とする制御を行う制御部、
を備えることを特徴とする、放送受信装置。
【請求項２】
前記制御部は、
受信した放送の記録処理を行うときに、前記電源切換部により前記バッテリ部からの電力供給とする制御を行うことを特徴とする、
請求項１に記載の放送受信装置。
【請求項３】
前記制御部は、前記バッテリ部の容量を取得し、前記バッテリ部の容量が所定の容量以上であると判断したときに、前記電源切換部により前記バッテリ部からの電力供給とする制御を行うことを特徴とする、
請求項１または２に記載の放送受信装置。
【請求項４】
外部から供給される外部電源より装置の各部に電力供給するステップ、
放送を受信する受信部を制御し放送を受信する受信ステップ、
前記外部電源から電力が供給され、且つ放送を受信しているときは、装置の各部に電力を供給するバッテリ部からの電力供給に切り換える制御を行う切換ステップ、
を備えることを特徴とする、放送受信装置の制御方法。
【請求項５】
請求項４に記載の放送受信装置の制御方法の各ステップを、コンピュータに実行させるプログラム。
【発明の詳細な説明】
【技術分野】
【０００１】
本発明は、スイッチング電源によるノイズの影響を受けずに放送を視聴可能な、放送受信装置、放送受信装置の制御方法およびプログラムに関する。
【背景技術】
【０００２】
近年、ポータブルメディアプレイヤやポータブルオーディオプレイヤ、携帯電話等の小型装置において、ラジオ放送、ＴＶ放送の受信機能を有する装置が一般的になっている。これらの装置は一般的に充電式バッテリを装置に内蔵し、バッテリから給電された電力による動作に加えて、クレードル等への接続によりＡＣ電源から給電された電力により、バッテリに充電を行いながらの動作も可能である。
【０００３】
従来の放送受信装置は、例えばバッテリにより動作している場合の放送受信中に、放送受信装置をＡＣ電源からの給電機能を有するクレードル等に接続した場合、放送の受信を継続しながらＡＣ電源からの給電による動作およびバッテリへの充電を行う。
【０００４】
また、クレードル等への接続によるＡＣ電源からの給電およびバッテリへの充電中に、放送の受信を開始した場合、ＡＣ電源からの給電およびバッテリへの充電を継続しながら、放送の受信を行う。
【先行技術文献】
【特許文献】
【０００５】
【特許文献１】特開２００７−６８２６６号公報
【発明の概要】
【発明が解決しようとする課題】
【０００６】
放送受信装置をクレードルや充電器等に接続することによって、ＡＣ電源からの給電を行った場合、クレードル内部やＡＣアダプタに内蔵されているスイッチング回路から発生するノイズを含む電源を用いることとなる。
【０００７】
スイッチング回路より発生するノイズは、放送受信装置が放送を受信しているときに、放送を受信する受信回路にノイズ成分が侵入してしまい、受信した放送の音声や映像の品質を悪化させてしまう。
【０００８】
特許文献１の技術は、放送の受信周波数に対応させてスイッチング電源回路のスイッチング周波数を変更するものであるが、スイッチング動作は継続されているために、完全にノイズを無にすることはできず、さらにスイッチング周波数を可変させるための回路も必要となる。
【０００９】
本発明はこのような問題点に鑑みなされたものであり、スイッチング電源によるノイズの影響を受けずに放送を視聴可能な、放送受信装置、放送受信装置の制御方法およびプログラムを提供することを目的とする。
【課題を解決するための手段】
【００１０】
上記目的を達成するために、第１の発明に係る放送受信装置（１）は、装置の各部に電力を供給するバッテリ部（１８）、前記バッテリ部（１８）からの電力供給と外部から供給される外部電源（２０）からの電力供給とを切り換える電源切換部（１７）、放送を受信する受信部（１１）、前記外部電源（２０）から電力が供給され、且つ前記受信部（１１）が放送を受信しているときは、前記電源切換部（１７）により前記バッテリ部（１８）からの電力供給とする制御を行う制御部（１０）、を備えることを特徴とする。
【００１１】
第２の発明に係る放送受信装置（１）は、第１の発明において、前記制御部（１０）は、受信した放送の記録処理を行うときに、前記電源切換部（１７）により前記バッテリ部（１８）からの電力供給とする制御を行うことを特徴とする。
【００１２】
第３の発明に係る放送受信装置（１）は、第１または第２の発明において、前記制御部（１０）は、前記バッテリ部（１８）の容量を取得し、前記バッテリ部（１８）の容量が所定の容量以上であると判断したときに、前記電源切換部（１７）により前記バッテリ部（１８）からの電力供給とする制御を行うことを特徴とする。
【００１３】
第４の発明に係る放送受信装置（１）の制御方法は、外部から供給される外部電源（２０）より装置の各部に電力供給するステップ、放送を受信する受信部（１１）を制御し放送を受信する受信ステップ、前記外部電源（２０）から電力が供給され、且つ放送を受信しているときは、装置の各部に電力を供給するバッテリ部（１８）からの電力供給に切り換える制御を行う切換ステップ、を備えることを特徴とする。
【００１４】
第５の発明に係るプログラムは、第４の発明における各ステップを、コンピュータに実行させる。
【発明の効果】
【００１５】
本発明によれば、スイッチング電源によるノイズの影響を受けずに放送を視聴することができる。
【図面の簡単な説明】
【００１６】
【図１】本発明における放送受信装置のブロック図である。
【図２】本発明における放送受信装置の外観平面図である。
【図３】本発明における放送受信装置をクレードルに接続したときの外観平面図である。
【図４】本発明における第１の実施例に係る放送受信装置の動作を表すフローチャートである。
【図５】本発明における第２の実施例に係る放送受信装置の動作を表すフローチャートである。
【図６】本発明における第３の実施例に係る放送受信装置の動作を表すフローチャートである。
【図７】本発明における第４の実施例に係る放送受信装置の動作を表すフローチャートである。
【発明を実施するための形態】
【００１７】
以下、本発明の第１の実施例における放送受信装置について、図１から図４を参照して説明する。図１は放送受信装置のブロック図であり、図２および図３は放送受信装置の外観図の例である。放送受信装置１は、携帯型のラジオやオーディオプレイヤ、メディアプレイヤ、携帯電話、ＰＤＡ等であり、バッテリを有するとともにＡＣ電源からの電源供給を可能とし、ラジオ放送受信機能やテレビ放送受信機能を有するものを対象とする。
【００１８】
放送受信装置１は、制御部１０、チューナ部１１、アンテナ部１１Ａ、表示部１２、操作部１３、出力部１４、入力部１５、記憶部１６、電源切換部１７、バッテリ部１８を備える。さらに放送受信装置１は、電源切換部１７にスイッチング電源部２１を介してＡＣ電源２０を接続する。
【００１９】
制御部１０は、例えば、ＣＰＵ（Central Processing Unit）、ＲＡＭ（Random Access Memory）、ＲＯＭ（Read Only Memory）、ＤＳＰ（Digital Signal Processor）等を備えて構成され、制御手段として放送受信装置１の各部を制御する。
【００２０】
制御部１０におけるＣＰＵは、制御手段として、放送受信装置１０の各部からの操作信号やデータに基づき、ＲＯＭに記憶された各種プログラムをＲＡＭ上で実行することにより各部の制御を行う。
【００２１】
制御部１０におけるＤＳＰは、後述するチューナ部１１や入力部１３より入力され、後述する入力部１５より入力される音声データや映像データを圧縮音声データに変換するエンコード処理、後述する出力部１４より出力する音声データや映像データのデコード処理に加えて、音質補正や音場補正、画像調整等の各種処理を行う。
【００２２】
制御部１０は、後述するチューナ部１１や入力部１５からの音声データをＤＳＰによりエンコードし、後述する記憶部１６に記憶する。
【００２３】
チューナ部１１は、受信部として、後述するアンテナ部１１Ａにより受信した放送波（電波）に対して、制御部１０による制御により、不図示の同調部を放送波の所定の周波数に同調させ、放送波として変調されている音声信号や映像信号を抽出することにより、ラジオ放送やテレビ放送を受信する。
【００２４】
アンテナ部１１Ａは、放送局から送信される変調された電波を受信し、その電波をチューナ部１１に出力する。
【００２５】
表示部１２は、操作部１５による操作の状態や、放送受信装置１の動作状態、放送受信装置１で再生する音声データや画像データ、チューナ部１１で受信する放送に関する各種情報やテレビ放送の受信画像を表示し、例えば液晶表示素子や有機ＥＬ（Electro Luminescence）表示素子などにより構成される。
【００２６】
操作部１３は、ユーザが放送受信装置１を操作するユーザインターフェースであり、押しボタンスイッチやタッチスイッチ、表示部１２上に設けられたタッチパネルにより構成される。
【００２７】
操作部１３は、操作されることにより、制御部１０の処理に基づきチューナ部１１により受信する放送の周波数や受信バンドなどを切り換える。また、操作されることにより、制御部１０の処理に基づき記録や再生の動作を行う。
【００２８】
出力部１４は、チューナ部１１により受信した音声信号や映像信号、後述する記憶部１６に記憶された各種コンテンツの音声信号や映像信号を、制御部１０を介して出力する。
【００２９】
出力部１４は、制御部１０から出力されるデジタル音声データをアナログ音声信号に変換するＤＡＣ（Digital Analog Converter）、ＤＡＣによりアナログ信号に変換された音声信号を増幅するオペアンプ等の増幅部、増幅部により増幅された音声信号を出力するスピーカやヘッドホン、音声出力端子等を包含してもよい。さらに出力部１４は、制御部１０から出力されるデジタル画像データを出力する映像出力端子等であってもよい。
【００３０】
入力部１５は、外部からのアナログ音声信号やデジタル音声データ、映像データの入力が可能な入力端子や、放送受信装置１に内蔵されるマイクロホン等である。さらに入力部１５は、外部から入力されるアナログ音声信号をデジタル音声データに変換するＡＤＣ（Analog Digital Converter）を包含してもよい。
【００３１】
入力部１５は、可搬型記録媒体等の接続部であってもよく、例えば図示しないメモリカードを接続するメモリカードスロット、ＵＳＢメモリ、外部ＨＤＤ（Hard Disk Drive）を接続するＵＳＢ端子などである。これらの入力部に接続される各種可搬型記録媒体は、後述する記憶部１６として用いてもよい。
【００３２】
記憶部１６は、音声データや映像データ、テキストデータなど、コンテンツに関する各種データや、チューナ部１１で同調する放送局の周波数情報、放送局名を記憶する。記憶部１６は、例えばＨＤＤやフラッシュメモリより構成される。ＨＤＤやフラッシュメモリは放送受信装置１に内蔵されるが、入力部１５としての所定のインターフェースにより放送受信装置１に接続される外部のデバイスであってもよい。具体的には、ＵＳＢ（Universal Serial Bus）により接続される外付けＨＤＤやＵＳＢメモリ、所定のメモリカードスロットにより接続されるメモリカードなどである。
【００３３】
電源切換部１７は、放送受信装置１に内蔵されている後述するバッテリ部１８と、後述する外部から入力されるＡＣ電源２０からの電力供給とを切り替える。電源切換部１７は、ＦＥＴ（Field Effect Transistor）等を用いた切換回路より構成される。
【００３４】
電源切換部１７は、後述するクレードル２３等の接続により、放送受信装置１にＡＣ電源２０が接続された場合、制御部１０の制御により放送受信装置１に対して、ＡＣ電源２０からの電力供給とバッテリ部１８からの電力供給とを切換える。
【００３５】
バッテリ部１８は、放送受信装置１に内蔵されているバッテリであり、例えば充電可能なリチウムイオン電池などである。
【００３６】
ＡＣ電源２０は、例えば１００Ｖの交流からなる家庭用商用電源であり、一般的なコンセントより供給される。
【００３７】
スイッチング電源部２１は、ＡＣ電源２０を、ＡＣ−ＤＣ変換およびスイッチングレギュレータ等のスイッチング回路によりＤＣ−ＤＣ変換することにより、放送受信装置１に供給するために適切な電圧の直流電源に変換する。
【００３８】
次に、図２および図３における放送受信装置１の外観図について説明する。図２は、放送受信装置１がバッテリ部１８から供給される電力を用いて動作し、例としてＦＭラジオ放送を受信している図である。
【００３９】
表示部１２には、現在受信中の放送局情報が表示され、操作部１３の操作によって、受信する放送局を切り換えることができる。
【００４０】
図３は、放送受信装置１が、クレードル２３に接続され、ＡＣ電源２０からの電力をスイッチング電源部２１を介して電力供給を受けている図である。スイッチング電源部２１は一般的なＡＣアダプタであり、クレードル２３に電源コード２２を介して接続されているが、クレードル２３に内蔵されてもよい。
【００４１】
次に、本発明の第１の実施例に係る放送受信装置１の動作について説明する。図４は、放送受信装置１が放送受信中にクレードル２３への接続などによりＡＣ電源２０に接続されたときの動作である。図４の前提としては、放送受信装置１が、バッテリ部１８からの電力供給を受けながら放送を受信している状態であり、図２に該当する。
【００４２】
図４において、先ず制御部１０は前述した前提の状態において、ＡＣ電源２０が接続されたか否かを判断する（ステップＳ１）。ＡＣ電源２０の接続とは、放送受信装置１がクレードル２３などに接続されることにより、ＡＣ電源２０からの電力がスイッチング電源部２１を介して放送受信装置１の各部に供給される状態である。
【００４３】
ステップＳ１において、放送受信装置１がＡＣ電源２０に接続していないと判断された場合（ステップＳ１：Ｎｏ）、制御部１０は放送の受信が終了したか否かを判断する（ステップＳ４）。放送の受信の終了とは、放送受信中においてユーザが操作部１３を操作することにより、放送受信装置１の動作を放送受信動作以外の動作に切り換えた場合や、放送受信動作を終了させた場合などである。
【００４４】
ステップＳ４において、制御部１０が放送の受信が終了したと判断した場合（ステップＳ４：Ｙｅｓ）、本処理は終了する。ステップＳ４において、制御部１０が放送の受信が終了していないと判断した場合（ステップＳ４：Ｎｏ）、ステップＳ１に戻り、制御部１０は放送受信装置１がＡＣ電源２０に接続されたか否かの判断を行う。
【００４５】
ステップＳ１において、制御部１０により放送受信装置１がＡＣ電源２０に接続されたと判断されると（ステップＳ１：Ｙｅｓ）、制御部１０は放送受信装置１がＡＣ電源２０に接続されたことを記憶するが、放送受信装置１の各部への給電をＡＣ電源２０からの給電に切り換えずに、バッテリ部１８にからの給電を継続させる（ステップＳ２）。
【００４６】
ステップＳ２において、放送受信装置１にバッテリ部１８からの給電が継続されているときは、放送受信装置１は放送受信状態でクレードル２３に接続されたにも係らず、クレードルより供給されるＡＣ電源２０からの給電ではなくバッテリ部１８からの給電により放送受信動作を行う。
【００４７】
ステップＳ２における、放送受信中であり且つバッテリ部１８からの給電による動作を行っている状態において、制御部１０は放送の受信が終了したか否かを判断する（ステップＳ３）。放送受信終了とは、放送受信中においてユーザが操作部１３を操作することにより、放送受信動作以外の動作に切り換えた場合や、放送受信動作を終了させた場合などである。
【００４８】
ステップＳ３において、放送の受信が終了していないと判断した場合（ステップＳ３：Ｎｏ）、制御部１０は、放送の受信が終了するまで待機する。  ステップＳ３において、放送の受信が終了したと判断した場合（ステップＳ３：Ｙｅｓ）、制御部１０は、ステップＳ１におけるＡＣ電源２０が接続されたことの記憶に基づいて、電源切換部１７を制御し、放送受信装置１が用いる電源をバッテリ部１８からの給電からＡＣ電源２０からの給電に切り換える（ステップＳ５）。
【００４９】
ステップＳ５において、制御部１０が、放送受信装置１が用いる電源をバッテリ部１８からＡＣ電源２０に切り換えた場合は、ＡＣ電源２０からの電力を、放送受信装置１の各部に供給することにより、放送受信装置１を動作させる。また、ＡＣ電源２０から供給される電力により放送受信装置１を動作させるとともに、ＡＣ電源２０から供給される電力によりバッテリ部１８を充電してもよい。
【００５０】
このような動作を行うことによって、放送受信装置１は、放送受信中にクレードル２３への接続等によってＡＣ電源２０に接続されても、バッテリ部１８からの給電による動作を継続する。このため、放送受信中はＡＣ電源２０からの給電により放送受信装置１を動作させるために適切な電源とするためのスイッチング電源部２１が動作しない。従って、放送を受信した音声にスイッチング電源部２１に基づくスイッチングノイズが混入せず、高品質でＳ／Ｎ比の高い放送コンテンツを出力することができる。
【００５１】
次に、本発明の第２の実施例における放送受信装置の動作について、図５を用いて説明する。第２の実施例における放送受信装置の構成は、第１の実施例と同一であるため説明を省略する。
【００５２】
図５は、放送受信装置１がＡＣ電源２０もしくはバッテリ部１８のいずれかの電力を用いて動作している状態で、放送の受信を開始したときの動作である。図５の前提としては、放送受信装置１が放送受信動作以外の状態であり、例えば記憶部１６に記憶されている音声データ等のコンテンツファイルを再生している状態などである。
【００５３】
図５において、先ず制御部１０は放送受信装置１において、放送の受信が開始されたか否かを判断する（ステップＳ１１）。放送の受信の開始とは、ユーザが操作部１３を操作することにより、放送受信動作を開始した場合や、放送受信動作以外の動作から放送受信動作に切り換えた場合などである。
【００５４】
ステップＳ１１において、放送の受信が開始されていないと判断した場合は（ステップＳ１１：Ｎｏ）、放送受信装置１が例えば放送の受信以外の動作中であるために、制御部１０は放送の受信が開始されるまで待機する。
【００５５】
ステップＳ１１において、放送の受信が開始されたと判断した場合は（ステップＳ１１：Ｙｅｓ）、制御部１０は放送の受信動作を開始するとともに放送受信装置１が用いている電源を確認する（ステップＳ１２）。ステップＳ１２においては、具体的には放送受信装置がＡＣ電源２０からの給電により動作しているか、バッテリ部１８からの給電により動作しているかを判断する。
【００５６】
ステップＳ１１において、制御部１０による放送の受信が開始されたか否かの判断は、例えばユーザが操作部１３を操作することにより、放送受信装置１の動作モードを放送受信モードに切り換えたとき、またはユーザが操作部１３を操作することによりチューナ部１１が受信する所望の周波数を選択したときなどにおいて、放送を受信したと判断する。
【００５７】
ステップＳ１１において、放送の受信が開始されると、チューナ部１１で受信した放送波からの音声データは、制御部１０により処理され出力部１４に出力される。また、放送に映像や画像が含まれている場合は、同様に表示部１２に出力される。表示部１２には受信中の放送局に係る情報、例えば受信周波数や放送局名、受信状態などを表示してもよい。
【００５８】
ステップＳ１２において、制御部１０が放送受信装置１に用いられている電源がＡＣ電源２０からの給電ではないと判断した場合（ステップＳ１２：Ｎｏ）、放送受信装置１はバッテリ部１８からの給電により放送受信動作を行っているため、バッテリ部１８からの給電による動作を継続し、制御部１０は放送の受信が終了したか否かを判断する（ステップＳ１６）。
【００５９】
ステップＳ１６において、制御部１０が放送の受信が終了していないと判断した場合（ステップＳ１６：Ｎｏ）、制御部１０は放送の受信を継続しながら放送の受信が終了するまで待機する。ステップＳ１６において、制御部１０が放送の受信が終了したと判断した場合（ステップＳ１６：Ｙｅｓ）、本処理は終了する。
【００６０】
ステップＳ１２において、放送受信装置１に用いられている電源がＡＣ電源２０からの給電であると判断した場合（ステップＳ１２：Ｙｅｓ）、制御部１０は電源切換部１７を制御し、放送受信装置１が用いる電源をＡＣ電源２０からの給電からバッテリ部１８からの給電に切り換える（ステップＳ１３）。
【００６１】
ステップＳ１３において、放送受信装置１が用いる電源がバッテリ部１８からの給電に切り換えられると、放送受信装置１は放送受信状態で、クレードル２３等への接続によりＡＣ電源が接続されているにもかかわらず、ＡＣ電源２０からの給電による動作ではなくバッテリ部１８からの給電による放送受信動作を行う。
【００６２】
ステップＳ１３における、放送受信中であり且つバッテリ部１８からの給電による動作を行っている状態において、制御部１０は放送の受信が終了したか否かを判断する（ステップＳ１４）。放送受信終了とは、放送受信中においてユーザが操作部１３を操作することにより、放送受信動作以外の動作に切り換えた場合や、放送受信動作を終了させた場合などである。
【００６３】
ステップＳ１４において、放送の受信が終了していないと判断した場合は（ステップＳ１４：Ｎｏ）、放送の受信が継続されているため、制御部１０は放送の受信が終了するまで待機する。
【００６４】
ステップＳ１４において、制御部１０が放送の受信が終了したと判断した場合は（ステップＳ１４：Ｙｅｓ）、制御部１０は電源切換部１７を制御し、放送受信装置１が用いる電源をバッテリ部１８からの給電からＡＣ電源２０からの給電に切り換える。（ステップＳ１５）。
【００６５】
ステップＳ１５において、制御部１０が、放送受信装置１が用いる電源をＡＣ電源２０に切り換えた場合は、ＡＣ電源２０からの電力を、放送受信装置１の各部に供給することにより、放送受信装置１を動作させる。また、ＡＣ電源２０から供給される電力により放送受信装置１を動作させるとともに、ＡＣ電源２０から供給される電力によりバッテリ部１８を充電してもよい。
【００６６】
このような動作を行うことによって、放送受信装置１は、クレードル２３への接続等によってＡＣ電源２０からの給電による動作を行っていても、放送受信の開始とともにバッテリ部１８からの給電による動作に切り替わる。このため、放送受信中はＡＣ電源２０からの給電により放送受信装置１を動作させるために適切な電源とするためのスイッチング電源部２１が動作しない。従って、放送を受信した音声にスイッチング電源部２１に基づくスイッチングノイズが混入せず、高品質でＳ／Ｎ比の高い放送コンテンツを出力することができる。
【００６７】
次に、本発明の第３の実施例における放送受信装置の動作について、図６を用いて説明する。第３の実施例における放送受信装置の構成は、第１の実施例と同一であるため説明を省略する。
【００６８】
第３の実施例における第２の実施例との違いは、第２の実施例が放送の受信を開始することによって、放送受信装置１が用いる電源がＡＣ電源２０からの給電であった場合にバッテリ部１８からの給電に切り換えたのに対して、第３の実施例においては放送記録開始によって、放送受信装置１への給電をバッテリ部１８からの給電に切り換える。
【００６９】
図６において、先ず制御部１０は放送受信装置１において、放送の受信が開始されたか否かを判断する（ステップＳ２１）。ステップＳ２１において、放送の受信を開始したと判断した場合（ステップＳ２１：Ｙｅｓ）、制御部１０は操作部１３が操作されることによって受信している放送の記録が開始されたか否かを判断する（ステップＳ２２）。
【００７０】
ステップＳ２２において、放送の記録を開始していないと判断した場合は（ステップＳ２２：Ｎｏ）、放送の受信を継続しながら放送の記録が開始されるまで待機する。ステップＳ２２において、制御部１０が放送の記録が開始されたと判断した場合は（ステップＳ２２：Ｙｅｓ）、制御部１０は放送の記録動作を開始するとともに放送受信装置１が用いている電源を確認する（ステップＳ２３）。
【００７１】
ステップＳ２３において、放送受信装置１に用いられている電源がＡＣ電源２０からの給電ではないと判断した場合（ステップＳ２３：Ｎｏ）、放送受信装置１はバッテリ部１８からの給電により放送受信動作を行っているため、バッテリ部１８からの給電による動作を継続し、制御部１０は放送の受信が終了したか否かを判断する（ステップＳ２７）。
【００７２】
ステップＳ２７において、放送の受信が終了していないと判断した場合（ステップＳ２７：Ｎｏ）、制御部１０は放送の受信を継続しながら放送の受信が終了するまで待機する。ステップＳ２７において、放送の受信が終了したと判断した場合（ステップＳ２７：Ｙｅｓ）、本処理は終了する。
【００７３】
ステップＳ２３において、放送受信装置１に用いられている電源がＡＣ電源２０からの給電であると判断した場合（ステップＳ２３：Ｙｅｓ）、制御部１０は電源切換部１７を制御し、放送受信装置１が用いる電源をＡＣ電源２０からの給電からバッテリ部１８からの給電に切り換える（ステップＳ２４）。
【００７４】
ステップＳ２４において、放送受信装置１が用いる電源がバッテリ部１８からの給電に切り換えられると、放送受信装置１は放送受信および記録状態で、クレードル２３等への接続によりＡＣ電源が接続されているにもかかわらず、ＡＣ電源２０からの給電による動作ではなくバッテリ部１８からの給電による放送受信および記録動作を行う。
【００７５】
ステップＳ２４における、放送受信中であり且つバッテリ部１８からの給電による動作を行っている状態において、制御部１０は放送の記録が終了したか否かを判断する（ステップＳ２５）。放送の記録終了とは、放送記録中においてユーザが操作部１３を操作することにより、放送記録動作を終了させた場合などである。
【００７６】
ステップＳ２５において、放送の記録が終了していないと判断した場合（ステップＳ２５：Ｎｏ）、制御部１０は放送の記録が終了するまで待機する。ステップＳ２５において、放送の記録が終了したと判断した場合（ステップＳ２５：Ｙｅｓ）、制御部１０は電源切換部１７を制御し、放送受信装置１が用いる電源をバッテリ部１８からの給電からＡＣ電源２０からの給電に切り換える。（ステップＳ２６）。
【００７７】
ステップＳ２６において、放送受信装置１が用いる電源がＡＣ電源２０からの給電に切り換えられた後、制御部１０は放送の受信が終了したか否かを判断する（ステップＳ２８）。ステップＳ２８において、放送の受信が終了していないと判断した場合は（ステップＳ２８：Ｎｏ）、放送の受信が継続されているため、制御部１０は放送の受信が終了するまで待機する。
【００７８】
ステップＳ２８において、放送の受信が終了したと判断した場合は（ステップＳ２８：Ｙｅｓ）、制御部１０は本処理を終了する。
【００７９】
このような動作を行うことによって、放送受信装置１は、クレードル２３への接続等によってＡＣ電源２０からの給電による動作を行っていても、放送の記録開始とともにバッテリ部１８からの給電に切り替わる。このため、放送の記録中は、ＡＣ電源２０からの給電により放送受信装置１を動作させるために適切な電源とするためのスイッチング電源部２１が動作しない。従って、放送を受信した音声にスイッチング電源部２１に基づくスイッチングノイズが混入せず、高品質でＳ／Ｎ比の高い放送コンテンツを記録することができる。
【００８０】
次に、本発明の第４の実施例における放送受信装置の動作について、図７を用いて説明する。図７は、バッテリ部１８の容量に応じてバッテリ部１８からの給電に切り換えるか否かの処理を追加した応用例であり、図５に記載の第２の実施例を応用したものである。従って、第４の実施例における放送受信装置の構成は、第１の実施例と同一であるため説明を省略するとともに、図７における図５と同一の部分については説明を省略する。
【００８１】
図７におけるステップＳ１２において、制御部１０が放送受信装置１に用いられている電源がＡＣ電源２０からの給電であると判断した場合（ステップＳ１２：Ｙｅｓ）、制御部１０はバッテリ部１８の容量を確認する（ステップＳ３１）。制御部１０によるバッテリ部１８の残容量確認方法は、バッテリ部１８の開放電圧値の取得や放電曲線に基づく演算など、既存の処理で良い。
【００８２】
ステップＳ３１において、制御部１０はバッテリ部１８の容量を確認し、所定の容量以上であるか否かを判断する。ここでいう所定の容量とは、例えば制御部１０が取得したバッテリ部１８の開放電圧等各種パラメータによって求められ、バッテリ部１８からの給電のみで所定時間以上放送の受信を行うことができる容量であることが望ましい。例としてバッテリ部１８の残容量が５％以下であるか否かを判断する。
【００８３】
ステップＳ３１において、バッテリ部１８の容量が所定の容量以下であると判断した場合は（ステップＳ３１：Ｎｏ）、制御部１０はＡＣ電源２０からの給電を変更せずに継続し、ステップＳ１６に移行する。
【００８４】
ステップＳ３１において、バッテリ部１８の容量が所定の容量以上であると判断した場合は（ステップＳ３１：Ｙｅｓ）、制御部１０は電源切換部１７を制御し、放送受信装置１が用いる電源をバッテリ部１８からの給電に切り換える（ステップＳ１３）。
【００８５】
このような動作を行うことによって、放送受信装置１は、クレードル２３への接続等によってＡＣ電源２０からの給電による動作を行っていても、放送受信の開始とともにバッテリ部１８からの給電に切り換え、高品質でＳ／Ｎの高い放送コンテンツを出力するとともに、バッテリ部１８の容量が少ないときは、バッテリ部１８からの給電による動作を行わない。このため、バッテリ切れによる放送受信動作の不意な停止を防止することができる。
【００８６】
本発明の実施の形態は、その要旨を逸脱しない限り、様々に変更可能である。例えば、バッテリ部１８は充電可能なバッテリとして説明したが、充電機能は必須ではなく、充電機能を有さない乾電池であってもよい。さらにバッテリ部１８は、放送受信装置１に内蔵してもよく、外部のバッテリとして放送受信装置１に接続されていてもよい。
【００８７】
また、図７に示した第４の実施例は、第３の実施例の応用例として説明したが、第１の実施例や第３の実施例に適用してもよい。
【００８８】
また、上記説明した本発明を適用したプログラムを、放送受信装置１を動作させるコンピュータにインストールして動作させてもよい。インストールするプログラムは、電気通信ネットワークを介して配布されてもよく、記録媒体を介して配布されてもよい。
【符号の説明】
【００８９】
１：放送受信装置、１０：制御部、１１：チューナ部、１２：表示部、１３：操作部、１４：出力部、１５：入力部、１６：記憶部、１７：電源切換部、１８：バッテリ部、２０：ＡＣ電源、２１：スイッチング電源部、２２：電源コード
【図１】
2011176548.tif 000003
【図２】
2011176548.tif 000004
【図３】
2011176548.tif 000005
【図４】
2011176548.tif 000006
【図５】
2011176548.tif 000007
【図６】
2011176548.tif 000008
【図７】
2011176548.tif 000009